(57)【要約】【課題】例えば洗面化粧台のミラーの上部位置または側方位置に設置可能なＬＥＤ照明装置を提供すること。【解決手段】ＬＥＤ５，６，７からの光を透過率の高い拡散板１０，１１にて拡散させるように構成されるとともに、前記拡散板１０，１１を光照射方向に所定間隔Ｈをおいて二つ以上配置してある。【選択図】        図２
2004227826.tif 000002
【特許請求の範囲】
【請求項１】
ＬＥＤからの光を透過率の高い拡散板にて拡散させるように構成されるとともに、前記拡散板を光照射方向に所定間隔をおいて二つ以上配置してあることを特徴とするＬＥＤ照明装置。
【請求項２】
洗面化粧台のミラーの上部位置または側方位置に設けられる請求項１に記載のＬＥＤ照明装置。
【発明の詳細な説明】
【０００１】
【発明の属する技術分野】
この発明は、ＬＥＤ照明装置に関する。
【０００２】
【従来の技術および発明が解決しようとする課題】
例えば洗面化粧台のミラーの上部位置に蛍光灯を設置して洗面化粧台を照らすようにすることが一般的に行われているけれども、蛍光灯の白色光に比して柔らかい光を発するＬＥＤ照明装置で洗面化粧台を照らす構成のものはなかった。
【０００３】
この発明は、前記の点に留意してなされたものであり、その目的は、例えば洗面化粧台のミラーの上部位置または側方位置に設置可能なＬＥＤ照明装置を提供することである。
【０００４】
【課題を解決するための手段】
前記課題を解決するために、この発明のＬＥＤ照明装置は、ＬＥＤからの光を透過率の高い拡散板にて拡散させるように構成されるとともに、前記拡散板を光照射方向に所定間隔をおいて二つ以上配置してあることを特徴とする。
【０００５】
【発明の実施の形態】
以下にこの発明の実施の形態について説明する。なお、この発明はそれによって限定されるものではない。
【０００６】
図１、図２は、洗面化粧台のミラーの左右側面側に取り付けたこの発明の一実施形態を示す。
【０００７】
１は、洗面室の壁Ｗに設置された正面視矩形形状のミラーで、壁Ｗの前面側に洗面化粧台２が位置している。
【０００８】
３，３は、ミラーの左右側面側に取り付けられる箱状のＬＥＤ照明装置で、ミラー１の縦の長さＬとほぼ同じ長さを長手方向（縦方向）に有する。ミラー１に取り付けられる両ＬＥＤ照明装置３，３は同一構造のものである。
【０００９】
ＬＥＤ照明装置３は、背面側に位置して例えばビスにより壁Ｗに固定される正面視矩形形状で、壁Ｗに設置されたミラー１の縦の長さＬとほぼ同じ長さを長手方向の長さ（縦の長さ）とする薄肉の固定板４と、色の異なる複数種類のＬＥＤ５，６，７が実装され、ミラー１の縦の長さＬとほぼ同じ長さを長手方向（縦方向）に有する基板８と、前面開口９ａおよび後面開口９ｂを有し、後面開口９ｂを覆うよう前記基板８がはめ込まれ縦置き状態で使用される枠体９と、この枠体９の前面開口９ａ内に取り付けられる、光を拡散させる透過率の高い横断面円弧形状拡散板１０と、基板８の光照射方向における前方で、かつ、拡散板１０の後面側に位置してＬＥＤ５，６，７からの明るい光を入射して前記拡散板１０に向かう散乱光を出射する透過率の高い横断面円弧形状の拡散板１１とから主としてなる。拡散板１０と拡散板１１は、外周縁から中央部分にかけて外向き（前側）に緩やかに凸状に湾曲した形状をなし、拡散板１０と拡散板１１は同心円の円弧を有する。
【００１０】
更に、枠体９、拡散板１０および拡散板１１はそれぞれ、ミラー１の縦の長さＬとほぼ同じ長さを長手方向（縦方向）に有する。
【００１１】
また、枠体９は、前面開口９ａの横方向の幅よりも狭い幅を持つ拡散板１１取り付け用の開口９ｅを、前面開口９ａに対向する後面位置に有するとともに、上方開口９ｃを有し、この上方開口９ｃから、長手方向に多数のＬＥＤ５，６，７が実装された状態の基板８が枠体９の底部９ｄまではめ込まれるとともに、上方開口９ｃから、拡散板１１が開口９ｅを塞ぐよう底部９ｄまではめ込まれ、更に、上方開口９ｃから、拡散板１０が前面開口９ａを塞ぐよう底部９ｄまではめ込まれる。そして、はめ込まれた状態では、拡散板１１および基板８間にＬＥＤ５，６，７が位置するとともに、拡散板１１は、拡散板１０と対向する形で、径方向に所定間隔Ｈを有して枠体９内に設置される。更に、後面開口９ｂを固定板４で塞ぐように固定板４を枠体９に適宜の係止手段で取り付ける。係止手段として、例えば、固定板４に係止爪を設け、枠体９の前記係止爪に対応する位置に係止溝を設けてある。そして、枠体９の内側面部がミラー１の側面に例えば接着剤などで取り付けられている。
【００１２】
前記拡散板１１，１０は透過率の高いもので、例えば、プラスチック材料に適宜拡散材を入れたものを挙げることができる。
【００１３】
この実施形態では、蛍光灯に比して柔らかい白色光を、拡散板１１および拡散板１０を介して外部に放つことができるよう、複数個の赤色の光を発するＬＥＤ５と、複数個の緑色の光を発するＬＥＤ６と、複数個の青色の光を発するＬＥＤ７と用いている。
【００１４】
なお、白色光を放つために、色の異なる複数種類のＬＥＤ５，６，７の代わりに複数個の白色ＬＥＤのみを基板８に実装してもよい。
【００１５】
また、この実施形態では、ＬＥＤ５，６，７として、直進性の強いＬＥＤを用いている。直進性の強いＬＥＤとは、指向性が高い光を発するＬＥＤを意味し、例えば隣接するＬＥＤからの光がそれぞれ光照射方向において直ぐには混ざり難いような狭い照射角度でもって超高輝度の光を発するＬＥＤを意味する。また、白色ＬＥＤも直進性の強いＬＥＤを採用するのが好ましい。
また、ＬＥＤ照明装置３は、上部に赤外線の発光素子と、この赤外線が人に当たって発生する反射光を受光する受光素子が収容された照明オン・オフ用のセンサを有する。このセンサは、光透過窓２０の後側に収容されており、反射光を受光しているときにＬＥＤ照明装置３から白色光が照射されるように構成されており、電力の省エネにつながる。
【００１６】
以下、動作原理について図３を用いて説明する。説明を簡略化するために図３には、赤色の明るい光を発するＬＥＤ５と、緑色の明るい光を発するＬＥＤ６と、青色の明るい光を発するＬＥＤ７を一つずつ示している。また、拡散板１１，１０を円盤状にしたのは説明し易くするためである。
【００１７】
ＬＥＤ５からの赤色の明るい光とＬＥＤ６からの緑色の明るい光とＬＥＤ７からの青色の明るい光が拡散板１１に入射する。この場合、隣接するＬＥＤ５，６，７からの光がそれぞれ光照射方向において直ぐには混ざり難いような例えば５〜３０°、好ましくは１０〜２０°の狭い照射角度θでもって超高輝度の光が各ＬＥＤ５，６，７から発せられる。
【００１８】
続いて、拡散板１１からは、拡散した赤色の光Ｒ、拡散した緑色の光Ｇ、拡散した青色の光Ｂが拡散板１０に向かう。
【００１９】
すなわち、拡散板１１によって光が散乱される。更に、拡散板１１は、透過率が高いので、光量のロスは少ない。そして、拡散板１１は、拡散板１０と対向する形で、所定間隔Ｈを有して設置されていることから、前記拡散光Ｒ，Ｇ、Ｂが拡散板１１および拡散板１０間を通過して拡散板１０に入射する。
【００２０】
拡散板１０への入射後、拡散板１０によって前記拡散光Ｒ，Ｇ、Ｂが更に拡散される。しかも、拡散板１０は、透過率が高いので、光量のロスは少ない。
【００２１】
このようにして、赤色の明るい光と緑色の明るい光と青色の明るい光が混ざり合った結果輝度分布において明るい白色の均一な、蛍光灯が発する白色光に比して柔らかい白色光を出現させることができる。
【００２２】
そして、前記各拡散板１０，１１は、透過率が高いので、赤色の明るい光と緑色の明るい光と青色の明るい光が前記各拡散板１０，１１を散乱しても暗い光にはなり難く、前記拡散板１０からは光量ロスの少ない蛍光灯の白色光に比して柔らかい白色光を出現させることができる。しかも、光照射方向に沿って二重に拡散板を配置しているので、ＬＥＤ５，６，７のチップやＬＥＤ透明カバー５ａ，６ａ，７ａが使用者の視界内に見えるおそれはなくなる。
【００２３】
また、ＬＥＤ照明装置３は、ＬＥＤ５，６，７を使っているので蛍光灯よりも薄型にできる。よって、ミラー１の前に立ってもＬＥＤ照明装置３による違和感はなく、むしろデザイン的にマッチしたコンパクトなＬＥＤ照明装置３を得ることができる。
【００２４】
なお、ＬＥＤ照明装置３を洗面化粧台のミラーキャビネットに設置してもよい。
【００２５】
図４は、洗面化粧台２の壁Ｗに設置されたミラー１の上辺中央部に対応する壁面に取り付けたこの発明の他の実施形態を示す。図４において、図１〜図３に示した符号と同一のものは同一または相当物である。
【００２６】
ＬＥＤ照明装置３’は、蛍光灯用電気スタンドのような形状をしている。ＬＥＤ照明装置３’は、照明部本体４０とこれを支持するよう壁面に取り付けられた支持部４１とで構成される。照明部本体４０は、先端側に透過率の高い前記拡散板１０を有し、拡散板１０の後方に、透過率の高い平板状の拡散板１１’を有し、更に、拡散板１１’の後方に、多数のＬＥＤ５，６，７が実装された基板８を有する。基板８は、枠体９に取り付けられている。
【００２７】
この実施形態でも、赤色の明るい光と緑色の明るい光と青色の明るい光が混ざり合った結果輝度分布において明るい白色の均一な、蛍光灯が発する白色光に比して柔らかい白色光を出現させることができる。
【００２８】
なお、ＬＥＤ照明装置３’を洗面化粧台のミラーキャビネットに設置してもよい。また、使い勝手をよくするために、支持部４１をフレキシブル部材とし、照明部本体４０を回動自在に構成してもよい。
【００２９】
【発明の効果】
以上説明したようにこの発明は、例えば洗面化粧台のミラーの上部位置または側方位置に設置可能なＬＥＤ照明装置を提供することができる。
【図面の簡単な説明】
【図１】この発明の一実施形態における使用状態を示す斜視図である。
【図２】上記実施形態を示す一部分解斜視図である。
【図３】上記実施形態における動作を説明するための図である。
【図４】この発明の他の実施形態における使用状態を示す斜視図である。
【符号の説明】
３…ＬＥＤ照明装置、５，６，７…ＬＥＤ、１０，１１…透過率の高い拡散板。
【図１】
2004227826.tif 000003
【図２】
2004227826.tif 000004
【図３】
2004227826.tif 000005
【図４】
2004227826.tif 000006